(57)【要約】【課題】アーチ状の壁材を基礎に対して締結という簡単な態様で精度良く固定することができるアーチ状構造物を提供する。【解決手段】アーチ状構造物は、基礎１０と、基礎１０に固定されるとともに奥行き方向Ｘにおいて並んで設けられている複数のアーチ状の壁材４１とを備える。アーチ状構造物は、壁材４１の下端部４１ａと基礎１０とを連結する連結部材２０を備える。連結部材２０は、基礎１０の上面を覆うとともに基礎１０に締結された板状の第１部分２１と、下端部４１ａの内側において第１部分２１から立ち上がるとともに下端部４１ａに締結された板状の第２部分２２とを有している。【選択図】図２
0003234880.tif 000002
【実用新案登録請求の範囲】
【請求項１】
基礎と、前記基礎に固定されるとともに奥行き方向において並んで設けられている複数のアーチ状の壁材と、を備えるアーチ状構造物であって、
前記壁材の下端部と前記基礎とを連結する連結部材を備え、
前記連結部材は、
前記基礎の上面を覆うとともに前記基礎に締結された板状の第１部分と、
前記下端部の内側において前記第１部分から立ち上がるとともに前記下端部に締結された板状の第２部分と、を有している、
アーチ状構造物。
【請求項２】
前記壁材は、金属板製であり、本体部と、前記奥行き方向において前記本体部の両端から立ち上がる一対の立壁部と、を有しており、
前記一対の立壁部のうち一方の先端には、上ハゼ部が設けられており、
前記一対の立壁部のうち他方の先端には、下ハゼ部が設けられており、
前記奥行き方向において互いに隣り合う前記壁材同士は、一方の前記上ハゼ部と他方の前記下ハゼ部とがハゼ締めされることにより連結されている、
請求項１に記載のアーチ状構造物。
【請求項３】
前記壁材は、単一の部材により構成されている、
請求項１または請求項２に記載のアーチ状構造物。
【考案の詳細な説明】
【技術分野】
【０００１】
本考案は、アーチ状構造物に関する。
【背景技術】
【０００２】
従来、複数のアーチ状の壁材が奥行き方向において並んで設けられているアーチ状構造物が知られている。壁材は、金属板製である。こうしたアーチ状構造物の基礎１１０は、図６に示すように、コンクリート製のＵ字溝１１１と、Ｕ字溝１１１の溝１１２内に充填されたコンクリート製の充填材１１３とにより構成されている。基礎１１０の施工に際しては、まず、溝１１２を上に向けた状態のＵ字溝１１１を地盤上に配置する。続いて、Ｕ字溝１１１の溝１１２内に壁材１４１の端部を挿入する。続いて、充填材１１３を構成する生コンクリート１１４を溝１１２内に流し込む。そして、生コンクリート１１４が硬化することにより壁材１４１が基礎１１０に対して固定される。
【考案の概要】
【考案が解決しようとする課題】
【０００３】
ところで、こうした従来のアーチ状構造物においては、Ｕ字溝１１１と充填材１１３とにより基礎１１０が構成されている。このため、充填材１１３の充填及び硬化に多くの時間を要するといった問題や、Ｕ字溝１１１に対する壁材１４１の位置決め作業が煩雑となるといった問題が生じるおそれがある。
【課題を解決するための手段】
【０００４】
上記課題を解決するためのアーチ状構造物は、基礎と、前記基礎に固定されるとともに奥行き方向において並んで設けられている複数のアーチ状の壁材と、を備えるアーチ状構造物であって、前記壁材の下端部と前記基礎とを連結する連結部材を備え、前記連結部材は、前記基礎の上面を覆うとともに前記基礎に締結された板状の第１部分と、前記下端部の内側において前記第１部分から立ち上がるとともに前記下端部に締結された板状の第２部分と、を有している。
【０００５】
同構成によれば、アーチ状の壁材が連結部材を介して基礎に固定されている。ここで、連結部材の第１部分と基礎とは締結固定されている。また、連結部材の第２部分と壁材とは締結固定されている。したがって、アーチ状の壁材を基礎に対して締結という簡単な態様で精度良く固定することができる。
【０００６】
また、上記構成によれば、連結部材が基礎の上面を覆う第１部分と、壁材の下端部の内側において第１部分から立ち上がる第２部分とを有している。このため、壁材の外面を伝って落ちる雨水が壁材の下端部から構造物の内側に流入することを、第２部分によって抑制できる。
【０００７】
上記アーチ状構造物において、前記壁材は、金属板製であり、本体部と、前記奥行き方向において前記本体部の両端から立ち上がる一対の立壁部と、を有しており、前記一対の立壁部のうち一方の先端には、上ハゼ部が設けられており、前記一対の立壁部のうち他方の先端には、下ハゼ部が設けられており、前記奥行き方向において互いに隣り合う前記壁材同士は、一方の前記上ハゼ部と他方の前記下ハゼ部とがハゼ締めされることにより連結されていることが好ましい。
【０００８】
同構成によれば、簡単な構成により、壁材同士の間をシールしつつ、壁材同士を連結することができる。
また、上記構成によれば、ハゼ締めされた一方の壁材の立壁部と、他方の壁材の立壁部とが重なり合う。これにより、これら立壁部によって壁材の剛性を高めることができる。したがって、壁材を補強するための補強材を省略する、あるいは減らすことができる。
【０００９】
上記アーチ状構造物において、前記壁材は、単一の部材により構成されていることが好ましい。
同構成によれば、壁材自体に継ぎ目がない。したがって、壁材を複数の分割体によって構成する場合に比べて、アーチ状構造物の見栄えを向上させることができる。
【考案の効果】
【００１０】
本考案によれば、アーチ状の壁材を基礎に対して締結という簡単な態様で精度良く固定することができる。
【図面の簡単な説明】
【００１１】
【図１】図１は、アーチ状構造物の一実施形態を示す斜視図である。
【図２】図２は、図１のアーチ状構造物について、壁材の下端部を中心に拡大して示す斜視図である。
【図３】図３は、図１のアーチ状構造物について、壁材と、連結部材と、基礎とを分解して示す分解斜視図である。
【図４】図４は、図１のアーチ状構造物について、壁材を示す断面図である。
【図５】図５は、図１のアーチ状構造物について、互いに隣り合う壁材同士がハゼ締めにより連結される様子を示す断面図である。
【図６】図６は、従来のアーチ状構造物について、壁材が基礎に対して固定された状態を示す断面図である。
【考案を実施するための形態】
【００１２】
以下、図１〜図５を参照して、アーチ状構造物の一実施形態について説明する。
＜アーチ状構造物の全体構成＞
図１〜図３に示すように、アーチ状構造物は、基礎１０と、半円状の側壁３０と、アーチ状の壁体４０と、壁体４０と基礎１０とを連結する連結部材２０とを有している。
【００１３】
アーチ状構造物は、全体として平面視矩形状である。
なお、以降では、アーチ状構造物の奥行き方向を奥行き方向Ｘとして説明する。また、アーチ状構造物の幅方向を幅方向Ｙとして説明するとともに、幅方向Ｙにおけるアーチ状構造物の内側及び外側を単に内側及び外側として説明する。また、アーチ状構造物の高さ方向を高さ方向Ｚとして説明する。
【００１４】
基礎１０は、コンクリートによりアーチ状構造物の外周縁に沿って形成されている。
基礎１０は、壁体４０が固定される一対の第１基礎１１と、側壁３０が固定される一対の第２基礎１２とを有している。
【００１５】
第１基礎１１同士は、互いに幅方向Ｙに並んでいる。一対の第１基礎１１は、奥行き方向Ｘに延びている。
図３に示すように、第１基礎１１には、複数のアンカーボルト６１が埋め込まれている。アンカーボルト６１同士は、奥行き方向Ｘにおいて互いに間隔をあけて設けられている。
【００１６】
図１に示すように、第２基礎１２同士は、互いに奥行き方向Ｘに並んでいる。一対の第２基礎１２は、幅方向Ｙに延びている。一対の第２基礎１２の各々に対して１つの側壁３０が固定されている。なお、図１には、奥行き方向Ｘの一側に位置する第２基礎１２及び側壁３０のみを示している。
【００１７】
一対の第２基礎１２のうち一方は、幅方向Ｙにおける中央部を切り欠いて形成された切欠き部１３を有している。
側壁３０は、切欠き部１３と対応する部分に切欠き凹部３１を有している。切欠き凹部３１は、内周面が切欠き部１３に連なるように形成されている。なお、本実施形態では、切欠き部１３と切欠き凹部３１とによってアーチ状構造物の内外を連通する開口部５０が構成されている。
【００１８】
切欠き凹部３１には、開口部５０を高さ方向Ｚに開閉するシャッター５１が取り付けられている。
なお、本実施形態のアーチ状構造物は、貨物や物品等を貯蔵または保管するための所謂倉庫である。
【００１９】
＜連結部材２０＞
図２及び図３に示すように、連結部材２０は、所謂水切り材であり、金属材料により断面Ｌ字状に形成されている。
【００２０】
連結部材２０は、基礎１０に締結される第１部分２１と、壁体４０に締結される第２部分２２とを有している。
第１部分２１は、奥行き方向Ｘ及び幅方向Ｙの双方に延びるとともに奥行き方向Ｘに長い板状の本体部２１ａと、本体部２１ａの外側の端部から屈曲して高さ方向Ｚの下側に延びる屈曲部２１ｂとを有している。本体部２１ａは、第１基礎１１の上面１１ａの全体を覆っている。屈曲部２１ｂは、第１基礎１１の外側の側面１１ｂと対向している。屈曲部２１ｂは、高さ方向Ｚにおいて下側に向かうほど、幅方向Ｙにおいて第１基礎１１の側面１１ｂから離れるように延在している。
【００２１】
第２部分２２は、第１部分２１の内側の端部から立ち上がって高さ方向Ｚに延びている。第２部分２２は、奥行き方向Ｘ及び高さ方向Ｚの双方に延びるとともに奥行き方向Ｘに長い板状である。
【００２２】
＜壁体４０＞
図１に示すように、壁体４０は、アーチ状構造物の屋根と壁とを一体にて構成するものである。
【００２３】
図２及び図３に示すように、壁体４０は、奥行き方向Ｘに並ぶ複数のアーチ状の壁材４１を連結することにより形成されている。
壁材４１は、単一の金属板材により構成されている。
【００２４】
図４に示すように、壁材４１は、本体部４２と、奥行き方向Ｘにおいて本体部４２の両端から立ち上がる一対の立壁部４３とを有している。
一対の立壁部４３のうち一方には、先端が折り返されて形成された上ハゼ部４４が設けられている。また、一対の立壁部４３のうち他方には、先端が折り返されて形成された下ハゼ部４５が設けられている。
【００２５】
図５に示すように、奥行き方向Ｘにおいて互いに隣り合う壁材４１同士は、一方の上ハゼ部４４と他方の下ハゼ部４５とがハゼ締めされることにより連結されている。なお、図５には、ハゼ締めされた状態の上ハゼ部４４を二点鎖線にて示している。
【００２６】
図２に示すように、複数の壁材４１の各々は、連結部材２０の第２部分２２に締結されている。詳しくは、壁材４１の延在方向の端部（以下、下端部４１ａ）が、第２部分２２に締結されている。下端部４１ａは、幅方向Ｙにおいて第２部分２２よりも外側に位置している。
【００２７】
図１に示すように、壁材４１の延在方向の両下端部４１ａは、それぞれ一対の第１基礎１１の一方と、他方とに連結部材２０を介して固定されている。
＜アーチ状構造物の施工方法＞
次に、アーチ状構造物の施工方法について説明する。
【００２８】
まず、アーチ状構造物の外周縁に沿って設けられた型枠（図示略）にコンクリートを打設して固めることにより地盤上に基礎１０を形成する。このとき、あらかじめ所定の位置に配置された複数のアンカーボルト６１が第１基礎１１に埋め込まれる（図３参照）。
【００２９】
次に、図２及び図３に示すように、連結部材２０の第１部分２１を第１基礎１１に対して締結する。この際、第１部分２１のうち第１基礎１１のアンカーボルト６１に対応する部分に締結孔２３を形成する。そして、第１部分２１の締結孔２３に対してアンカーボルト６１を挿通した後、ナット６２をアンカーボルト６１に螺合する。これにより、連結部材２０が第１基礎１１に対して固定される。
【００３０】
続いて、壁材４１を連結部材２０の第１部分２１に載置する。そして、壁材４１における下端部４１ａの内側から第２部分２２を下端部４１ａに対して締結する。詳しくは、第２部分２２に形成された４つの締結孔２４と、下端部４１ａのうち締結孔２４と対応する位置に形成された４つの締結孔４６とにボルト６３を挿通した後、ナット６４をボルト６３に螺合する。これにより、壁材４１が連結部材２０に対して固定される。
【００３１】
次に、図５に示すように、奥行き方向Ｘにおいて互いに隣り合う壁材４１同士について、一方の上ハゼ部４４と他方の下ハゼ部４５とをハゼ締めする。これにより、奥行き方向Ｘに並ぶ複数の壁材４１が連結されて壁体４０が形成される。このとき、ハゼ締めされた一方の壁材４１の立壁部４３と、他方の壁材４１の立壁部４３とが重なり合った状態となる。
【００３２】
また、図示を省略するが、連結部材を介して側壁３０を第２基礎１２及び壁体４０に対して固定する。
そして、図２及び図３に示すように、平板状の第１部分２１の外側の端部を折り曲げる。これにより、屈曲部２１ｂが形成される。
【００３３】
次に、本実施形態の作用効果について説明する。
（１）アーチ状構造物は、壁材４１の下端部４１ａと基礎１０とを連結する連結部材２０を備えている。連結部材２０は、第１基礎１１の上面１１ａを覆うとともに第１基礎１１に締結された板状の第１部分２１と、下端部４１ａの内側において第１部分２１から立ち上がるとともに下端部４１ａに締結された板状の第２部分２２とを有している。
【００３４】
こうした構成によれば、アーチ状の壁材４１が連結部材２０を介して第１基礎１１に固定されている。ここで、連結部材２０の第１部分２１と第１基礎１１とは締結固定されている。また、連結部材２０の第２部分２２と壁材４１とは締結固定されている。したがって、アーチ状の壁材４１を第１基礎１１に対して締結という簡単な態様で精度良く固定することができる。
【００３５】
また、上記構成によれば、連結部材２０が第１基礎１１の上面１１ａを覆う第１部分２１と、壁材４１の下端部４１ａの内側において第１部分２１から立ち上がる第２部分２２とを有している。このため、壁材４１の外面を伝って落ちる雨水が壁材４１の下端部４１ａから構造物の内側に流入することを、第２部分２２によって抑制できる。
【００３６】
（２）壁材４１は、金属板製であり、本体部４２と、奥行き方向Ｘにおいて本体部４２の両端から立ち上がる一対の立壁部４３とを有している。一対の立壁部４３のうち一方の先端には、上ハゼ部４４が設けられている。一対の立壁部４３のうち他方の先端には、下ハゼ部４５が設けられている。奥行き方向Ｘにおいて互いに隣り合う壁材４１同士は、一方の上ハゼ部４４と他方の下ハゼ部４５とがハゼ締めされることにより連結されている。
【００３７】
こうした構成によれば、簡単な構成により、壁材４１同士の間をシールしつつ、壁材４１同士を連結することができる。
また、上記構成によれば、ハゼ締めされた一方の壁材４１の立壁部４３と、他方の壁材４１の立壁部４３とが重なり合う。これにより、これら立壁部４３によって壁材４１の剛性を高めることができる。したがって、壁材４１を補強するための補強材を省略する、あるいは減らすことができる。
【００３８】
（３）壁材４１は、単一の部材により構成されている。
こうした構成によれば、壁材４１自体に継ぎ目がない。したがって、壁材４１を複数の分割体によって構成する場合に比べて、アーチ状構造物の見栄えを向上させることができる。
【００３９】
＜変更例＞
本実施形態は、以下のように変更して実施することができる。本実施形態及び以下の変更例は、技術的に矛盾しない範囲で互いに組み合わせて実施することができる。
【００４０】
・１つの壁材４１を連結部材２０に対して締結するためのボルト６３の数は、本実施形態で例示した４つに限定されず、例えば、３つ以下でもよいし、５つ以上であってもよい。この場合、ナット６４及び締結孔２４，４６の数もボルト６３の数に合わせて適宜変更すればよい。
【００４１】
・本実施形態では、アーチ状構造物を施工するにあたり、複数の壁材４１を連結部材２０に対して締結した後に、奥行き方向Ｘにおいて互いに隣り合う壁材４１同士をハゼ締めにより連結する方法を例示したが、アーチ状構造物の施工は、この方法に限定されない。例えば、複数（例えば３つ）の壁材４１をハゼ締めにより連結した後に、連結された複数の壁材４１を連結部材２０の第１部分２１に載置するとともに第２部分２２に対して締結するようにしてもよい。
【００４２】
・壁材４１は、本実施形態で例示したように単一の金属板材により構成されるものに限定されず、例えば複数の分割体によって構成されるものであってもよい。
・壁体４０は、本実施形態で例示したように、奥行き方向Ｘにおいて隣り合う壁材４１同士がハゼ締めにより連結されるものに限定されない。例えば、壁体４０は、奥行き方向Ｘにおいて隣り合う壁材４１の立壁部４３同士が締結または溶接により連結されるものであってもよい。この場合、壁材４１から上ハゼ部４４及び下ハゼ部４５を省略することができる。
【００４３】
・壁材４１から立壁部４３を省略してもよい。この場合、例えば、奥行き方向Ｘに隣り合う壁材４１同士の間に壁材４１同士を連結するとともに壁材４１を補強する補強材を設けるようにすればよい。
【００４４】
・連結部材２０の形状は、断面Ｌ字状に限定されず、第２部分２２が下端部４１ａの内側において第１部分２１から立ち上がるものであれば、その形状を適宜変更してもよい。例えば、断面Ｔ字状にすることもできる。
【００４５】
・アーチ状構造物の開口部５０は、２つ以上設けるようにしてもよい。
・アーチ状構造物は、開口部５０を高さ方向Ｚに開閉するシャッター５１を有するものに限定されない。例えば、アーチ状構造物は、開口部５０を開閉するスライド式または回動式のドアを有するものであってもよい。
【００４６】
・一対の側壁３０を省略してもよい。
・本考案に係るアーチ状構造物は、本実施形態で例示した倉庫に限定されず、例えばオフィス、店舗、住宅、または車両を格納するためのガレージに対して本考案を適用することもできる。
【符号の説明】
【００４７】
Ｘ…奥行き方向
Ｙ…幅方向
Ｚ…高さ方向
１０，１１０…基礎
１１…第１基礎
１１ａ…上面
１１ｂ…側面
１２…第２基礎
１３…切欠き部
２０…連結部材
２１…第１部分
２１ａ…本体部
２１ｂ…屈曲部
２２…第２部分
２３…締結孔
２４…締結孔
３０…側壁
３１…切欠き凹部
４０…壁体
４１，１４１…壁材
４１ａ…下端部
４２…本体部
４３…立壁部
４４…上ハゼ部
４５…下ハゼ部
４６…締結孔
５０…開口部
５１…シャッター
６１…アンカーボルト
６２…ナット
６３…ボルト
６４…ナット
１１１…Ｕ字溝
１１２…溝
１１３…充填剤
１１４…生コンクリート
【図１】
0003234880.tif 000003
【図２】
0003234880.tif 000004
【図３】
0003234880.tif 000005
【図４】
0003234880.tif 000006
【図５】
0003234880.tif 000007
【図６】
0003234880.tif 000008